(57)【要約】      （修正有）【課題】外張り断熱工法の透湿シートの取付作業において、透湿シートを必要十分な強度をもって固定し、かつ従来構造と比べて施工者の負担を増加させない構造を提供する。【解決手段】透湿シート2の取付作業に施工性を向上させるためにステープル3を用いる場合、ステープル3を直接板状断熱材4に打ち込むのではなく、板状断熱材に設けた、伸縮性を有する軟質素材からなる帯状体1に対して打ち込むようにする。こうすることで、ステープル3は前記帯状体によって必要十分な強度をもって固定され、直接板状断熱材4にステープル3を打ち込んだ場合に比べ、十分に透湿シートを固定することができる。【選択図】図１
2007138689.tif 000002
【特許請求の範囲】
【請求項１】
外張り断熱工法の透湿シートの取付構造において、軟質素材からなる帯状体を板状断熱材表面に取付固定し、前記軟質素材からなる帯状体へ透湿シート表面からステープルが打ち込まれ、透湿シートがステープルによって固定されていることを特徴とする透湿シート取付構造。
【請求項２】
請求項１に記載の軟質素材からなる帯状体が粘着性を有する素材によって板状断熱材に固定されていることを特徴とする透湿シート取付構造。
【請求項３】
請求項１、２に記載の軟質素材からなる帯状体が、板状断熱材表面の周縁部に取付られることを特徴とする構造。
【発明の詳細な説明】
【技術分野】
【０００１】  本発明は、外張り断熱工法における透湿シート等の固定において、透湿シート等の固定作業を効率良く行う為の構造に関する。
【背景技術】
【０００２】  一般的に外張り断熱工法においては、下地となる柱等の外壁方向を、伸縮性を有しない脆弱な発泡体によって形成された板状断熱材で覆う。そして、前記板状断熱材の目地部を気密テープを用いて密封した後、水が建物内部に侵入しないように、前記板状断熱材に対して一定の張力が与えられた透湿シートが貼り付けられる。【０００３】  従来、上記透湿シートは板状断熱材の表面に貼り付けられた両面テープを用いて貼り付けられる。【０００４】  しかしながら、両面テープを用いた構造の場合、一定の張力を透湿シートに与えている作業中に透湿シートが風に煽られる等して、不十分な張力しか与えられていない状態の透湿シートを誤って接着してしまう場合がある。その際作業者は、水の浸入を許してしまう状態である不十分な張力しか与えられていない透湿シートを、慎重に両面テープから剥がさなければならず、非常に大きな負担を強いられることとなる。又、作業者は両面テープを用いた構造を用いる場合、前記のような問題を発生させないようにする為に、慎重に作業を行う必要があり、作業者に大きな心労を課せる、作業効率の悪い構造である。【０００５】  一方では、作業中に透湿シートが誤って接着されることを防ぎ、作業効率を向上させるために、上記透湿シートに対してステープルを透湿シートの上から直接前記板状断熱材に打ち込んで貼り付ける構造が広く用いられている。【０００６】  参考として、従来下記特許文献１に示す様に、断熱材とシートの間に、シート固定下地を設ける構造が開示されている。これはシートの固定において、接着剤を用いる方法である。
【特許文献１】  実公昭６２−６１８１９
【発明の開示】
【発明が解決しようとする課題】
【０００７】  しかしながら、前記のようなステープルを用いた取付構造の場合、貼り付けられた透湿シートが風に煽られる等すると、前記板状断熱材に直接打ち込まれたステープルは、抜けてしまうと言う問題があった。これは、ステープルが前記板状断熱材を押し潰した状態で打ち込まれているからであり、木等伸縮性を有する建材に打ち込んだ場合のように、建材の収縮性によってステープルが密圧設され挟持されていないからである。【０００８】  さらに、前記板状断熱材に対して透湿シート表面からステープルを打設する場合、ステープル打設時に前記板状断熱材を破損させてしまい、建材の強度を大きく損なわせてしまうという問題もあった。【０００９】  又、特許文献１に記載の方法は、シートの固定に接着剤を用いる為、施工に対して非常に大きな時間を要するという問題があった。さらに、壁面に対して施工する場合、接着剤が垂れ落ちてしまうという問題があった。【００１０】  そこで、本発明の課題は前記実情を鑑み、前記板状断熱材等に対して、一定の張力が与えられた透湿シート等を、風に煽られる等した場合でも確実に、作業効率良く貼り付けることができ、両面テープを用いた場合のような心労を要さず、ステープル等を打設する際に板状断熱材等を押し潰すこともない構造を提供することにある。
【課題を解決するための手段、及び作用】
【００１１】  このような問題を解決するために、本発明は、外張り断熱工法の透湿シートの取付構造において、伸縮性を有する軟質素材からなる帯状体を前記板状断熱材表面に固定し、前記軟質素材からなる帯状体へ透湿シート表面からステープルを打ち込み固定することによって、透湿シートを十分な強度をもって固定する取付構造を採用したものである。
【００１２】さらに、前記板状断熱材と透湿シートの間に前記帯状体を介在させることによって、ステープル打設時に前記板状断熱材の表面を破損させてしまうことを防ぐことができる。
【００１３】  尚、前記帯状体の材質は、打ち込み固定されるステープルを把持する効果を有すれば、紙製や樹脂製、もしくは金属製等、どのような材質であっても問題は無い。また、その形状も長手方向にリブを入れる等、どのような形状でも全く問題は無い。
【００１４】  また、本発明における前記帯状体の固定には、両面テープもしくは前記帯状体自体がその表面部に有する粘着層によって行われる取付構造を採用したものである。そして、前記帯状体を粘着性を有する素材で固定することによって、釘やネジ等を用いて固定した場合に発生する、前記板状断熱材の破損を防ぐことができる。
【００１５】  さらに、前記帯状体を、前記板状断熱材表面の周縁部に取付ける構造を採用することによって、ステープル打設時の衝撃等の外力が加わった際に、周縁部が破損、欠落を起し、本来外張り断熱工法において求められる高気密高断熱の機能を損なってしまうことを防ぐことができる。
【発明の効果】
【００１６】  本発明の請求項１に記載の構造によれば、伸縮性を有する軟質素材からなる帯状体を前記板状断熱材等の表面に取付け、透湿シート等の表面からステープル等を前記帯状体に対して打ち込むことにより、ステープル等は前記板状断熱材に直接ステープル等を打ち込んだ場合に比べ、ステープル等を打ち込まれた周りの前記帯状体が縮小し密圧接することによって、ステープル等を挟持することができ、風に煽られる等して透湿シートからステープル等が抜けてしまうことを防止することができる。
【００１７】  また、請求項２に記載の発明は、請求項１に記載の発明の作用効果に加えて、前記帯状体が有する粘着性を有する素材が、前記帯状体を、前記板状断熱材に固定する効果を有することにより、前記帯状体に対して打ち込まれるステープル等の表面に対して粘着性を有する素材が絡みつき、ステープル等を接着保持することができる。
【００１８】  すなわち、ステープル等は前記帯状体に圧入することによって挟持されるだけでなく、粘着性を有する素材による化学的な固定を受けることとなり、より強固な固定を行うことができる。
【００１９】  また、請求項３に記載の発明によれば、前記帯状体を前記板状断熱材の周縁に取り付けることによって、前記板状断熱材がステープル等打設時の衝撃等の外力を受けた場合に、周縁部が破損、欠落を起し、本来外張り断熱工法において求められる高気密高断熱の機能を損なうという問題を防止することができる。
【００２０】  またさらに、請求項３に記載の発明によれば、前記帯状体を前記板状断熱材の周縁に取付ける際、隣り合う前記板状断熱材の周縁部に跨るように取付けることにより、前記帯状体において、粘着性を有する素材を、気密性を有する素材とする、つまり、帯状体が粘着性と機密性の両方の性質を有することで、気密テープを用いて前記板状断熱材を密封する作業と、前記帯状体を取付固定する作業が同時に行うことができる。
【実施例】
【００２１】  以下、この発明の実施の形態を添付図面に基づいて説明する。【００２２】  図１は、この発明の構造を示した物であり、図２は軟質素材から成す帯状体を示したものであり、図３はこの発明における前記帯状体に対してステープルを打ち込んだ場合の断面図である。【００２３】  図１に示す様に、前記板状断熱材の周縁に対して前記帯状体を取付固定した後、一定の張力が与えられた状態で透湿シートがステープルによって貼り付けられる。【００２４】その際、図２に示す前記帯状体は、透湿シートの施工を行う際の作業性を鑑み、前記板状断熱材と接する面にのみ粘着性を有していることが望ましく、機密性、作業性の観点より、粘着成分はアクリル系の気密性を有する粘着成分で形成されていることが望ましい。【００２５】  なお、前記板状断熱材の周縁に取付固定される前記帯状体は、前記板状断熱材が並べて固定される場合、２枚の前記板状断熱材の周縁に跨るように取付固定されることで、前記帯状体が気密テープの役割を果たすので、従来の作業と比べて、何ら作業性に問題が発生することは無い。【００２６】  また、図３に示す様に、前記帯状体に対してステープルを打ち込んだ場合、ステープルは粘着性を有する素材によって密着された上、化学的に一体になるように固定されてなる為、前記帯状体に対してステープルを打ち込んだ場合でも、何ら機密性を失う事は無い。【００２７】  ついで、前記帯状体が２つの前記板状断熱材に跨って取付固定される場合、併せてステープルの各脚をそれぞれ異なる前記板状断熱材に打ち込むことによって、前記板状断熱材をより強固に固定することができる。【００２８】  さらに、ステープルを直接前記板状断熱材に打ち込んた場合に比べ、前記帯状体に対してステープルを打ち込むことによって、伸縮性を有する軟質素材である帯状体が、ステープルの引抜強度を増大さえるだけでなく、ステープルの打撃時に発生する衝撃を吸収し、前記板状断熱材の変形を防ぐことが出来る。【００２９】  結果として、前記板状断熱材の変形を防ぐことで、変形部分への応力の集中によって発生する前記板状断熱材の破損を防ぐことができる。そうすることによって、施主は長期にわたり外張り断熱工法のメリットである、高気密、高断熱を享受することができる。
【図面の簡単な説明】
【００３０】
【図１】  本発明の構造を示した斜視図である。
【図２】  本発明における前記帯状体を示した斜視図である。
【図３】  本発明における前記帯状体に対してステープルを打ち込んだ場合の断面斜視図である。
【符号の説明】
【００３１】１    伸縮性を有する軟質素材からなる帯状体
１ａ  粘着性を有する素材
１ｂ  粘着性を有しない素材
２    透湿シート
３    ステープル
４    伸縮性を有しない脆弱な発泡体で形成された板状断熱材
５    柱
６    前記板状断熱材の目地部
【図１】
2007138689.tif 000003
【図２】
2007138689.tif 000004
【図３】
2007138689.tif 000005